(57)【特許請求の範囲】
【請求項１】
個別に折られたウェブのスタックから前記ウェブの長さにわたり不均一な厚さの領域を有する前記個別に折られたウェブのディスペンサーシステムであって、
内部空間を形成する外側ハウジングと、
該内部空間内で個別に折られたウェブのスタックを保持するように。前記外側ハウジング内に取付けられたスタック手段と、
該スタック手段の1端部に隣接して前記外側ハウジング内に形成されており、第1面と第2面が鈍角で結合された状態の形態で前記ディスペンサーから突出している中央部分と、前記第1の面と第2の面の交差部分の周りで前記中央部分に配置された取出しスロートと、を有する取出し面と、
最大厚さの1領域が前記取出しスロートの前記幅にわたり延びるように整列された前記ウェブの長さにわたり非均一な厚さの領域を有する個別に折られたウェブのスタックと、
前記個別に折られたウェブの前記スタックと接触する前記取出しスロートの少なくとも1つの縁に沿っている、前記個別に折られたウェブの前記スタックの一部が前記取出しスロートから外方向に突出するようにする少なくとも一つの凹部セクションと、
から構成されているディスペンサーシステム。
【請求項２】
前記スタック手段は、前記個別に折られたウェブの前記スタックに対し配置されるように少なくとも1つの規制リブを備え、前記最大厚さ領域が、取出し中に前記取出しスロートの前記幅にわたり延びるように前記スタックの整列を維持するようになっていることを特徴とする請求項1に記載のディスペンサーシステム。
【請求項３】
前記個別に折られたウェブが前記取出しスロートに近づくと、これらに空間を与えて速度を遅くするように、前記取出しスロートに隣接した段階領域を備えていることを特徴とする請求項1に記載のディスペンサーシステム。
【請求項４】
前記段階領域は、前記個別に折られたウェブが前記取出しスロートに近づくと、これらの進行通路に平行であるように向いた少なくとも2つの曲線状バンパーと、前記個別に折られたウェブが前記取出しスロートに近づくと、これらの動作を一時的に停止させるための前記バンパーに形成された複数のリブと、を備えていることを特徴とする請求項3に記載のディスペンサーシステム。
【請求項５】
個別に折られたウェブの前記スタックが個々のウェブから構成されており、該個々のウェブは、
第1の中央パネルと、
該第1パネルと一体となっており、該第1パネルの第1側部の上に折り畳まれた第2パネルと、
前記第1パネルと一体となっており、該第1パネルの第2側部の上で折り畳めれている第3パネルと、
前記第2パネルと一体となっており、前記第1および第2パネルの間に配置されるようになっている第4パネルと、
前記第3パネルと一体となっており、前記第1及び第3パネルの間に配置されるように折り畳まれていえる第5パネルと、から構成されており、
前記第3パネルの一部と第5パネルとが前記第2パネルの一部と第4パネルとの上に重なり、前記ウェブの長さにわたり非均一な領域を形成するようになっていることを特徴とする請求項1に記載のディスペンサーシステム。
【請求項６】
前記個別に折られたウェブのスタックは、ペーパナプキンのスタックであることを特徴とする請求項5に記載のディスペンサーシステム。
【請求項７】
個別に折られたウェブのスタックから前記ウェブの長さにわたり非均一な厚さの領域を有する、個別に折られたウェブのディスペンサーシステムにおいて、
内部空間を形成する外側ハウジングと、
個別に折られたウェブのスタックを前記内部空間に保持するための前記外側ハウジング内に取付けられたスタック手段と、
該スタック手段の1端部に隣接して、前記外側ハウジング内に形成され、前記第1面と第2面が鈍角で結合された状態で、前記ディスペンサーから突出している中央部分と、前記第1および第2面のほぼ交差部において前記中央部分に配置され、上部縁と低部縁と第1側部縁と第2側部縁を有するようになっている取出しスロートと、を有する取出し面と、
最大厚さの領域が前記取出しスロートの幅に及んで延びるように整列された前記ウェブの長さにわたり非均一な厚さを有する個別に折られたウェブスタックと、
前記個別に折られたウェブの前記スタックの一部が前記取出しスロートから外方向に突出するように、前記個別に折られたウェブと接触する、前記取出しスロートの前記上部縁と、前記第1側部縁と、前記第2側部縁とに沿った凹部セクションと、
から構成されているディスペンサーシステム。
【請求項８】
前記スタック手段は、前記個別に折られたウェブの前記スタックに対し配置され、取出し中に、前記最大厚さの領域が、前記取出しスロートの幅にわたり延びるように整列されたままにするようになっている少なくとも1つの制限リブを備えていることを特徴とする請求項7に記載のディスペンサーシステム。
【請求項９】
前記個別に折られたウェブが前記取出しスロートに近づくと、個別に折られたウェブに空間を形成し、速度を遅くするための前記取出しスロートに近接した段階領域を備えていることを特徴とする請求項7に記載のディスペンサーシステム。
【請求項１０】
前記段階領域は、前記個別に折られたウェブが前記取出しスロートに近くづくと、前記個別に折られたウェブの進行通路に平行であるように配向された少なくとも2つの曲線バンパーと、前記個別に折られたウェブが前記取出しスロートに近づくと、これらの動作を一時的に止めるための前記バンパー上に形成された複数のリブとを備えていることを特徴とする請求項9に記載のディスペンサーシステム。
【請求項１１】
前記個別に折られたウェブの前記スタックが個々のウェブから構成されており、該個々のウェブは、
第1の中央パネルと、
前記第1パネルと一体となっており、該第1パネルの第1側部の上に折り畳まれた第2パネルと、
前記第1パネルと一体となっており、該第1パネルの第2側部の上で折り畳まれている第3パネルと、
前記第2パネルと一体となっており、前記第1および第2パネルの間に配置されるようになっている第4パネルと、
前記第3パネルと一体となっており、前記第1及び第3パネルの間に配置されるように折り畳まれていえる第5パネルと、から構成されており、
前記第3パネルの一部と第5パネルとが前記第2パネルの一部と第4パネルとの上に重なり、前記製品の長さにわたり非均一な領域を形成するようになっていることを特徴とする請求項7に記載のディスペンサーシステム。
【請求項１２】
前記個別に折られたウェブのスタックがペーパナプキンのスタックであることを特徴とする請求項11に記載のディスペンサーシステム。
【発明の詳細な説明】
発明の分野
本発明は、一般的に、取出し装置およびシステムの分野に関する。より詳細には、本発明は、折り畳まれたシート材料を取出すための装置とシステムの分野に関する。
発明の背景
ペーパナプキンのような個別に折り畳まれたウェブのディスペンサーがクイックサービスの飲食場所に設けられていることが多い。多くの従来の紙ナプキンディスペンサーの一つの欠点は、折り畳まれたナプキンを1回につき1枚取出すことにおいて全く十分なものではないことである。折り合わされたナプキンのかわりに、ナプキンが個別に折り畳まれたナプキン(例えば、従来の折重ねナプキン)である場合には、このような不十分な1回につき1枚取出すことは、特に注目に値するものになる。別の欠点は、多くの従来の折り重ねナプキンディスペンサーが、一度に大きな塊のナプキンを取除くことができることである。研究では、このようにして取除かれた殆どのナプキンが無駄になることを示してきた。多くの場合、結局飲食領域で撒き散らされ、ごみとして放り投げられ、さらに悪いことには、配管設備の工事の際に詰まるような状態になる。ナプキンの塊が取出されると、ディスペンサーは短時間で使い果たされ、再充填されなければならなず、クイックサービス飲食場所の客も店員も不都合なものにする。
従来の折重ね紙ナプキン10は、一般的に吸収性紙材料の主要パネル14により形成された閉じた端部12と、第2パネル18により形成された開いた端部16とを有する。任意的な第3のパネル20が第2のパネル18の下側で折り畳まれていればよい。第2および第3のパネル18,20は、主要パネル14と一体となっており、図1に見られるように、主要パネル14の対向する両端部で折線において主要パネル14にそれぞれ接続されている。従来の紙ナプキンは、単一プライまたは複数プライ材料から作られていればよい。例えば、図1は、第1プライ22と第2プライ24とを有する2プライ材料を表している。
従来の折重ね紙ナプキンに関連する一般的な問題が図2Aおよび図2Bを参照してみられる。従来の折重ねナプキンは、例えば、ばね負荷式ナプキンディスペンーまたは重力給送ディスペンサーのようなナプキンディスペンサー26内に重ね合わされるように設計される。このようなナプキンディスペンサーは、開口部28を有しており、ナプキン10の開いた端部16が図2Aに図示するように、開口部28に面するようになる。この位置において、使用者は、第二パネル18を掴み、ディスペンサー26からナプキン10を引っ張り出すことができる。しかし、図2Bに図示するように、不適切に重ねられると、閉じた端部12が開口部28に面し、取出しが不便となり、無駄になる。珍しいことではないが、メンテナンス要員は、図2Aよりは図2Bに図示するように、折重ねられた紙ナプキンを不適切に重ねることになる。
さらに、従来の折畳み紙ナプキンは、第2パネル18および任意的な第3のパネルが主要パネル14の上に折畳まれるときの厚さの2倍から3倍である。このような紙ナプキンがスタックの中に配置されると、スタックは、図3に見られるようにディスペンサー内の開口部28の上側または下側の縁30にわたり、最大厚さを有することになる。ばね負荷式技術ディスペンサーまたは詰込みすぎたディスペンサー26によって発生した圧力は、ディスペンサー26の縁30に対しスタックの最も厚い部分に力をかける。もし充分な圧力が存在するならば、ディスペンサー26の縁30と、最も外側の紙ナプキンとの間の摩擦がディスペンサーからナプキンを取出すことを困難にする。
個別に折られたウェブを一度に一枚取出すのに満足のいく取出しシステムのために長時間充填する必要のないことが要求される。この充填不要に関する要求は、無駄な取出しを防ぎ、これを阻止する別個に折り畳まれたウェブの取出しシステムに及ぶ。
本発明の概要
上述に記載した問題と必要性は、別個に折られたウェブのスタックからウェブの長さにわたり非均一な厚さの1領域を有する別個に折られたウェブの取出しシステムを提供する本発明によって解決する。取出しシステムは、(a)内部空間を形成する外側ハウジングと、(b)別個に折り畳まれたウェブのスタックを内部空間に保持するための外側ハウジング内に取り付けられたスタック手段と、(c)スタック手段の1端部近くの外側ハウジングに形成され、取出しスロートを形成する取出し面と、(d)ウェブの長さにわたり非均一な厚さの1領域を有する別個に折られたウェブのスタックおよび(e)別個に折られたウェブのスタックと接触する取出しスロートの少なくとも一つの縁に沿っており、別個に折られたウェブのスタックの一部が取出しスロートから外方に突出するようになっている少なくとも一つの凹部セクションと、から構成されている。
本発明によれば、取出し面は、鈍角で結合された第1面および第2の面の形態でディスペンサーから突出している中央部分を有する。取出しスロートは第1および第2の面の交差点周りに、中央部分内に配置されている。
本発明の1特徴は、ウェブの長さにわたり非均一な厚さの1領域を有する別個に折られたウェブのスタックが、最大厚さの1領域が、取出しスロートの幅にわたり延びるように整列されていることである。
本発明の1実施例において、スタック手段は、別個に折り多々前ｒ多ウェブのスタックに対し配置された少なくとも一つの制限リブから構成されており、取出し中に、最大厚さの領域が取出しスロートの幅にわたり延びるように、スタックが整列することを維持するようになっている。例えば、2つか、3つ以上の規制リブがウェブスタックに対し配置されており、スタックの変位が、取出し中に最小となり、ウェブスタックが適切に整列することを助ける。規制リブが外側ハウジングの内面に取付けられていればよい。好ましくは、規制リブはウェブスタックに長手方向に沿って作用するように配置されている。
本発明の別の実施例において、取出システムは、取出しスロートに近接するに従って、個別に折り畳まれたウェブの空間をあけて遅くするための取出しスロートに近い段階的領域も含む。段階領域は、個別に折られたウェブが取出しスロート近接するにつれ、これら個別に折られたウェブの進行通路に平衡であるように配向された少なくとも2つの曲線状バンパーを含んでいればよい。複数のリブ、隆起部、ノブ等が、ウェブが取出しスロートに近づくと別個に折られたウェブの動作を一時的に停止させるように、バンパーに形成されていればよい。
本発明によれば、別個に折られたウェブスタックが、（a）第1の中央パネルと、（b）第1パネルと一体になっており、第1パネルの第1側部上に折り畳まれた第2のパネルと、（c）第1パネルと一体になっており、第1パネルの第2側部に折り畳まれた第3パネルと、（d）第2パネルと一体になっており、第1および第2パネルの間に配置されるように折り畳まれるようになっている第4パネルと、（e）第3パネルと一体になっており、第1および第3パネルとの間に配置されるように折り畳まれ、第3のパネル第5のパネルが第2パネルと第4パネルの位置と重なり、ウェブの長さにわたり非均一な厚さの領域を作り出すようにする第5パネルと、から構成された別個になったウェブを含む。
個別に折られたウェブのスタッは、繊維ウェブのスタックであればよい。好ましくは、折り畳まれたウェブのスタックが、例えば吸収性紙ナプキンのような吸収性ペーパウェブのスタックであることが好ましい。
これらのおよび別の利点と、本発明を特徴づける新規性の特徴が、請求の範囲に詳細に指摘されており、これの一部を形成する。しかし、本発明をより理解するために、使用および参照によって得られる利点および目的は、本発明の一部を形成する図面と、これに伴う本発明の説明を参照しなければならない。
【図面の簡単な説明】
図1は、従来の折り量ね式使い捨てウェブの横断面図である。
図2Aは、従来の折り重ね式使い捨てウェブを含む部分的に荷重がかけられたディスペンサーを表す。
図2Bは、従来の折り量ね式使い捨てウェブを含む不適当に荷重がかけられたディスペンサーを表す。
図3は、従来の折り量ね式使い捨てウェブを含むディスペンサーを表す前面図である。
図４は、個別に折られたウェブの例示的取出しシステムを表す斜視図である。
図５は、個別に折られたウェブの例示的取出しシステムの詳細を表す。
図６は、個別に折られたウェブの例示的取出しシステムの詳細を表す。
図７は、個別に折られたウェブの例示的取出しシステムの詳細を表す。
図８は、例示的に個別に折られたウェブの断面図である。
図９は、例示的に個別に折られたウェブの横断面図である。
図１０は、図９に示された例示的に個別に折られたウェブの斜視図である。
図１１は、エンボス加工され折られた状態を表す図８に図示した例示的個別に折られたウェブの断面図である。
図１２は、個別に折られたウェブのスタックを含む個別に折られたウェブのディスペンサーシステムの前面図である。
詳細な説明
図面を参照すると、同一の参照番号が図面を通し対応する構造を指定しており、図４および図5を詳細に参照すると、例示的取出しシステムが図示されている。このシステムは、内部空間34を形成しており、この内部空間34内に表された本明細書に記載するタイプの個別に折られたウェブ(例えば、紙ナプキン)38のスタックを保持するように外部ハウジング32内に取付けられたスタック手段36(図6に図示する)を含んでいる。
本システムは、スタック手段36の1端部に近接した外側ハウジング23内に形成された取出し面40も含む。
取出し面40は、外側ハウジング32から突出している中央部分42と、中央部分42内に配置された取出しスロート44とを有する。取出しスロート44は、取りだ新免の縁により形成されており、取出されるべき個別に折られたウェブ(例えば紙ナプキン)の幅よりもわずかに小さい幅を有していなければならない。取出しスロート44は、上部縁46、低部縁48、第1側部縁50および第2側部縁52を有する。
図5を参照すると、取出し面40の中央部分42がディスペンサーの外側ハウジング32から突出していることが見られる。取出し面40の中央部分42は、鈍角α(すなわち、90度以上180度以下)で結合されている第1面54と第2面56の形態で突出している。取出しスロート44は、第1および第2の面54,56の交差地点58の周りに配置されていなければならず、取出し面40の平面において割れ目すなわち破断部分がある。取出しスロートにおいて取出し面の平面において適当な割れ目すなわち破断部分を形成する取り出し面の別の構造を使用してもよいことがわかる。
一般的に、角度αは、約175度から約160の範囲であればよく、取出し面の平面に割れ目すなわち破断部分を形成するようになっている。例えば、角度αは約170度から約165度の範囲であればよい。
本発明の特徴は、個別に折られたウェブのスタックと接触する取出しスロートの少なくとも１つの縁に沿って1つか、2つ以上の凹部セクション60であり、個別に折られたウェブのスタックの一部が取出しスロートから外方向に突出するようになっている。これらの凹部セクション60は、取出しスロート44の上部縁46、第1側部縁50、および第2側部縁52に沿って配置されていることが好ましく、これらの縁は、個別に折られたウェブのスタックと接触し、個別に折られたウェブスタックの一部が取出しスロートから外方向に突出していなければならない。
個別に折られたウェブのスタックに対し押すことによって、第1側部縁50と第2側部縁52に配置された凹部60によって、使用者が1本か、2本以上の指を取出しスロートに入れて、ウェブの塊を掴むことを困難にもしている。このように、折り畳まれたウェブの無駄な取り出しが減少する。
図6を参照すると、個別に折られたウェブ38のスタックに対し配置され、スタックの整列を維持するようになっている少なくとも一つの制限リブから構成されているスタック手段36を含み、最大の厚さ領域が、取出し中に取出しスロート44の幅にわたり延びるようになっている。例えば、2つか3つ以上の制限リブがウェブのスタックに対し配置されていればよく、取出し中のスタックの変位が最小になり、ウェブスタック適切な整列を助けるようになっている。制限リブが外側ハウジングの内面に取付けられていればよい。好ましくは、制限リブは、これらがウェブスタック(例えば長手方向に)に沿って流れるように配置されている。
本発明の1実施例において、取出しシステムは、ナプキンが取出しスロートに近接するにつれてナプキンに空間を作り遅くするための取出しスロートに近接した段階領域を含んでいればよい。図7を参照すると、段階領域62は、ナプキンが取出しスロートに近づくとナプキンの進行通路に平行であるように配向された少なくとも2つのバンパー64と、ナプキンが取出しスロートに近づくとナプキン動作を一時的に停止させるためのバンパー64に形成された複数のリブ66と、から構成されていればよい。
ナプキンのスタック38に対し押すばね負荷式プレート68と組み合わされて、バンパー64が取出しスロート44の凹部60の作用を高め、取出しスロート44のなかでナプキンが折れたり曲がったりすることになる。このような構造は、ナプキンを比較的均一に取出しスロート44に送り出し、ディスペンサーがどれだけ使用されているかには、比較的関係なく、ナプキンを取出しスロート44に送ることによって、ナプキンを取出す助けになると考えられる。バンパーは、また、ナプキンを取出しスロートで中心にするという点において、スタック手段36を補助し、ナプキンが破れ、取出しを妨害する可能性が発生するような摩擦を作り出す取出しスロートの1端部に対し、ナプキンが引き込む可能性を減少するようになっている。
本発明によれば、取出しシステムは、折り重ねウェブまたは折り込みウェブの代りに個別に折られたウェブと共に作業するように設計されている。個別に折られたウェブのスタックが繊維ウェブのスタックであればよい。好ましくは、折られたウェブのスタックが、例えば吸収性不織製品のような吸収性ウェブのスタックであることが好ましい。より好ましくは、折られたウェブのスタックは、例えば、ペーペナプキン、ペーパタオル、ティッシュ等のような吸収性ペーパウェブのスタックである。
別個に折られたウェブは、（a）第1の中央パネル、（b）第1パネルと一体となっており、第1パネルの第1側部で折られた第2パネル、（c）第1パネルと一体になっており、第1パネルの第2側部に折り畳まれた第3パネルと、（d）第2パネルと一体になっており、第1および第2パネルの間に配置されるように折り畳まれるようになっている第4パネルと、（e）第3パネルと一体になっており、第1および第3パネルとの間に配置されるように折り畳まれ、第3のパネルの一部と第5のパネルが第2パネルの一部と第4パネルと重なり、ウェブの長さにわたり非均一な厚さの領域を作り出すようにする第5パネルと、から構成されている。
図8をより詳細に参照すると、折られたウェブＦは、第1端部104において第1の折れ線102と、第1端部104に対向する第2の端部108における第2の折れ線106とを有する第1の中央パネル100を含む。折られたウェブＦは、さらに第1の折れ線102において第1パネル100と結合されている第1端部202と、第3の折れ線206を有する第2の端部204とを有する第2のパネル200を含む。第2の折れ線106において第1パネル100と結合される第1端部302を有する第3パネル300は、第4の折れ線306を有する第2の端部304を含む、折られたウェブＦは、第3の折れ線206において第2のパネル200に結合されている第4のパネル400を含む、第4のパネル400は第3の折れ線206において第２のパネル200に対し折られており、第4のパネル400がほぼ第1パネル100と第2パネル200との間に配置されるようになっている。同様に折られたウェブＦは、第4折れ線306において第3のパネル300に結合されている第5のパネル500を含む。第5のパネル500は第4の折れ線306において、第3のパネル300にたいし折られており、第5のパネル500が、図8,9および10に図示するように折られると、ほぼ第3のパネルと第1パネル100との間に配置されるようになっている。
折り畳まれたウェブFの第1の縁Eが第3の折れ線206に対向する第1のパネル400の1端部に形成されている。同様に、折り畳まれたウェブFが第5パネル500上にあり、第4の折れ線306に対向して配置された第2の縁Eを含む。第4および第5のパネル400,500が、それぞれ第2および第3パネル200,300の間にあるように折り畳まれているので、第1および第2の縁E,E’を、観察者は簡単に見ることができない。
本発明の重要な特徴は、第2および第3のパネル200,300の組み合わされた幅が、第1パネル100の幅よりも大きく、ウェブ製品Fは、製品が平坦に折られると、中央領域において折られたウェブ製品の長さに及んで延びる非均一な厚さのゾーンすなわち領域を有することである。
第1パネル100の幅は、第1の折線102から第2の折線106までの距離となるように形成されている。第2のパネル200の幅は、第1の折線102から第3の折線206までの距離となるように形成されており、第3パネル300の幅は、第2の折線106から第2の折線306までの距離となるように形成されている。
第1の折線102と第2の折線106との間の第1パネル100の距離の中間点70が図8と11に図示されている。図8,10および11の実施例において、第2パネル200と第3パネル300は組み合わされると、第1パネル100の幅より大きい、同一の幅を有する。このために、第3の折線206が第1の折線102および第４の折線から中間点70の対向側部に形成され、第2の折線206から中間点70の対向側部に形成されるようになる。このような構造によって、第2のパネル200の一部と第4パネル400が、第3パネル300と第5パネル500の一部と重なり、折られたウェブFの長さにわたり非均一な厚さのゾーンまたは領域80を作り出す。図8および11に見られるように、非均一厚さのゾーンすなわち領域80が中間点70において中心となる。
図9の実施例において、第2のパネル200は、第3のパネル300の幅よりも小さい幅を有する。重要なことは、第2パネル200の幅と、第3パネル300の幅が組み合わされると、第1パネルの幅100よりも大きく、第2のパネル200の一部と第4のパネル400とが、第3のパネル300の一部と第5のパネル、折られたウェブFの長さにわたり非均一な厚さのゾーンすなわち領域80を作り出すようになる。第2パネル200と第3パネル300の間の対称性がなくなるために、非均一厚さのゾーンすなわち領域80を中間点70から移動させることになる。このような構造は、ずれた開口部を有するディスペンサーに好ましい。
本発明の実施例によれば、第4のパネル400の幅は、第2パネル200の幅の1/2未満であればよい。あるいは、第5パネル500の幅は第3パネルの幅の1/2未満であればよい。このような構造は、折られたウェブ製品の中央領域においてパネルの重なり合いを集中させることによって折畳みウェブ製品の厚さにおける差(すなわち非均一厚さ)を高める。例えば、折り畳まれたウェブ製品の中央において、第2パネル200の一部、第4パネル400、第1パネル100、第5パネル500および第3パネル300が相互に重ねられ、5枚の材料の厚さに等しくなる。第4パネル400の幅が、第2パネル200よりも小さく（例えば、第4パネルは第2パネルの幅の1/2未満）、第5パネル500の幅が第3パネル300の幅未満（例えば、第5パネルは第3パネルの幅の1/2未満）の場合に、折られたシート製品の非中央領域すなわち外側領域は、2材料シートのみの厚さに等しい。このように、折畳みシート製品の外側領域は中央領域の厚さの半分（すなわち2/5）未満の厚さを有する。
かつては、折畳みウェブ製品は、非均一な厚さの領域を排除するように構成されていなければならないと、一般的に考えられてきた。しかし、上述に記載した本発明において非均一な厚さの構造はいくつかの利点を提供する。図12を参照すると、例示的折畳みウェブ製品Fを含むディスペンサー26の前面図が図示されている。本発明の特徴によれば、非均一厚さのゾーンすなわち領域80（中間点70においてほぼ整列していり、または中間点70からいくらかずれている）が、従来の折量ね式製品に関し、全上側縁46または下側縁48のかわりにディスペンサーの中央に位置するセクッション82だけに接触する。
ディスペンサーの少しだけ中央に位置決めされたセクション82における非均一な厚さのゾーンすなわち領域80間の領域は、ディスペンサーがばねで負荷されたり、満たされると、ディスペンサーの面に対し圧縮できる面積の大きさを最小にする助けとなる。この接触面を最小にすることは、折畳みウェブ製品のばね負荷式または詰込まれすぎたスタックの間の摩擦を減少させる助けとなり、シートを簡単にそして確実に取出すことができるようになっている。
ディスペンサーの少しだけ中央に位置決めされたセクション82における非均一な厚さのゾーンすなわち領域80の別の利点は、使い捨て折畳みウェブ製品のスタックの薄い方のセクションがディスペンサーの上側縁と下側縁30に配置されていることである。折畳みウェブ製品のスタックにかかる圧力が、ディスペンサーの小さな部分とだけ接触する最も厚いセクション（すなわち、非均一厚さのゾーンすなわち領域80）に集中するために、ディスペンサーのより薄い部分（すなわち上側および下側縁30）と接触する、ウェブ製品スタックのより薄いセクションは、ばね負荷式すなわち詰込みすぎによる実質的に小さい圧力を受けることになる。
本発明の更なる別の利点は、非均一な厚さのゾーンすなわち領域80の構造によって、折畳みウェブ製品のスタックの一部が、ディスペンサー内の開口部から外方向に曲がって出て、突出し、隆起するようになっている。この効果は、凹部60を取出しスロートの１か、2つ以上の位置の縁に配置することによって高められる。ゾーンすなわち領域が、ほぼ中間点7０と接触したり、中間点７０からいくらかずれた位置において整列しているので、バルジすなわち突出部分が個別に折り畳まれたシート製品を簡単に掴めるようにする。
本発明は、水平に配置された個別に折り畳まれたペーパナプキンディスーペンサーに使用するのに特に好ましい。狭い取出しスロート、突出している取出し面、スタック手段および段階領域においてナプキンを曲げるバンパーが個別に折られたペーパナプキンの確実で、無駄の少ない取出しを行うようになっている。もちろん、本発明の取出しシステムは、例えば、垂直方向に取付けられたナプキン、ティッシュまたはタオルディスペンサーのような垂直方向に取付けられたディスペンサーに使用してもよい。
本発明の数々の特徴および利点を、本発明および機能の詳細とともに上述の説明に記載してきたが、開示は、図示にすぎず、特に本発明の原理の形状、大きさおよび部品の構造に関し、請求の範囲が記述する用語の広い総括的な意味により示される全範囲にまで、変更を詳細に行ってもよいことがわかるであろう。
【図１】
0003667774.tif 000002
【図２Ａ】
0003667774.tif 000003
【図２Ｂ】
0003667774.tif 000004
【図３】
0003667774.tif 000005
【図８】
0003667774.tif 000006
【図４】
0003667774.tif 000007
【図５】
0003667774.tif 000008
【図６】
0003667774.tif 000009
【図７】
0003667774.tif 000010
【図９】
0003667774.tif 000011
【図１０】
0003667774.tif 000012
【図１１】
0003667774.tif 000013
【図１２】
0003667774.tif 000014